(57)【要約】【課題】例えば、より容易に取り付けたり取り外したりできるなど、より不都合が少なく改善された新規な構成の開口部の防水装置を得る。【解決手段】開口部の防水装置は、例えば、床面と隣接し側方に向けて開口する開口部の少なくとも下部を、床面と接した状態で屋外側から覆う、着脱可能な遮水板と、遮水板が床面と接して開口部の少なくとも下部を屋外側から覆う状態で、開口部の縁部と遮水板とに張力が生じる状態で接続される紐状体と、遮水板に設けられ少なくとも床面との間をシールする弾性変形可能なシール部材と、を備える。【選択図】図２
2016056529.tif 000002
【特許請求の範囲】
【請求項１】
床面と隣接し側方に向けて開口する開口部の少なくとも下部を、前記床面と接した状態で屋外側から覆う遮水板と、
前記遮水板が前記床面と接して前記開口部の少なくとも下部を屋外側から覆う状態で、前記開口部の縁部と前記遮水板とに張力が生じる状態で接続される紐状体と、
前記遮水板に設けられ少なくとも前記床面との間をシールする弾性変形可能なシール部材と、
を備えた、開口部の防水装置。
【請求項２】
前記紐状体と前記遮水板との第一の接続位置が、前記紐状体と前記開口部の縁部との第二の接続位置よりも上側に位置された、請求項１に記載の開口部の防水装置。
【請求項３】
前記紐状体と前記遮水板との第一の接続位置が、前記紐状体と前記開口部の縁部との第二の接続位置よりも屋外側に位置された、請求項１または２に記載の開口部の防水装置。
【請求項４】
前記紐状体の張力を調節する調節機構を備えた、請求項１〜３のうちいずれか一つに記載の開口部の防水装置。
【請求項５】
前記紐状体の複数の部分を着脱可能に連結する連結機構を備えた、請求項１〜４のうちいずれか一つに記載の開口部の防水装置。
【請求項６】
前記紐状体は、前記開口部の左右両側のそれぞれに設けられた、請求項１〜５のうちいずれか一つに記載の開口部の防水装置。
【請求項７】
前記紐状体は、前記遮水板と前記開口部の左右両側の縁部とに接続された、請求項１〜５のうちいずれか一つに記載の開口部の防水装置。
【発明の詳細な説明】
【技術分野】
【０００１】
本発明は、開口部の防水装置に関する。
【背景技術】
【０００２】
従来、開口部を屋外側から覆う防水シートを有した開口部の防水装置が知られている（例えば、特許文献１）。
【先行技術文献】
【特許文献】
【０００３】
【特許文献１】特許第４４５９７４０号公報
【発明の概要】
【発明が解決しようとする課題】
【０００４】
例えば、より容易に取り付けたり取り外したりできるなど、より不都合が少なく改善された新規な構成の防水装置が得られれば有意義である。本発明の課題の一つは、例えば、より不都合が少なく改善された新規な構成の開口部の防水装置を得ることである。
【課題を解決するための手段】
【０００５】
本発明の開口部の防水装置は、例えば、床面と隣接し側方に向けて開口する開口部の少なくとも下部を、上記床面と接した状態で屋外側から覆う遮水板と、上記遮水板が上記床面と接して上記開口部の少なくとも下部を屋外側から覆う状態で、上記開口部の縁部と上記遮水板とに張力が生じる状態で接続される紐状体と、上記遮水板に設けられ少なくとも上記床面との間をシールする弾性変形可能なシール部材と、を備える。よって、例えば、紐状体によって遮水板が屋外側から開口部を覆う状態に取り付けられる。よって、例えば、防水装置の開口部への取り付けおよび取り外しがより容易に行われる。
【０００６】
上記開口部の防水装置では、例えば、上記紐状体と上記遮水板との第一の接続位置が、上記紐状体と上記開口部の縁部との第二の接続位置よりも上側に位置される。よって、例えば、紐状体から遮水板に作用する下方への力によって、遮水板を床面に押し付けることができる。よって、例えば、遮水板と床面との間のシール性を向上できる。
【０００７】
また、上記開口部の防水装置では、例えば、上記紐状体と上記遮水板との第一の接続位置が、上記紐状体と上記開口部の縁部との第二の接続位置よりも屋外側に位置される。よって、例えば、紐状体から遮水板に作用する屋内側への力によって、遮水板を開口部の縁部に押し付けることができる。よって、例えば、遮水板と開口部の縁部との間のシール性を向上できる。
【０００８】
また、上記開口部の防水装置では、例えば、上記紐状体の張力を調節する調節機構を備える。よって、例えば、紐状体から遮水板に作用する力の大きさを調節できる。
【０００９】
また、上記開口部の防水装置では、例えば、上記紐状体の複数の部分を着脱可能に連結する連結機構を備える。よって、例えば、遮水板を、開口部を屋外側から覆う位置により容易に取り付けたり、遮水板を、開口部を屋外側から覆う位置からより容易に取り外したりすることができる。
【００１０】
また、上記開口部の防水装置では、例えば、上記紐状体は、上記開口部の左右両側のそれぞれに設けられる。よって、例えば、紐状体をより短く構成できる。
【００１１】
また、上記開口部の防水装置では、例えば、上記紐状体は、上記遮水板と上記開口部の左右両側の縁部とに接続される。よって、例えば、紐状体の数を減らせる。
【発明の効果】
【００１２】
本発明によれば、例えば、より容易に取り付けたり取り外したりできるなど、より不都合が少なく改善された新規な構成の開口部の防水装置が得られる。
【図面の簡単な説明】
【００１３】
【図１】図１は、第１実施形態の開口部の防水装置の模式的かつ例示的な平面図である。
【図２】図２は、第１実施形態の開口部の防水装置の屋内側かつ上側から見た例示的な斜視図である。
【図３】図３は、図１のIII−III断面図である。
【図４】図４は、第１実施形態の開口部の防水装置の紐状体の一部の例示的な斜視図である。
【図５】図５は、第１実施形態の第１変形例の開口部の防水装置の紐状体の一部および引掛部の例示的な斜視図である。
【図６】図６は、第１実施形態の第２変形例の開口部の防水装置の紐状体に設けられた着脱機構の連結状態での例示的な平面図である。
【図７】図７は、第１実施形態の第２変形例の開口部の防水装置の紐状体に設けられた着脱機構の分離状態での例示的な平面図である。
【図８】図８は、第２実施形態の開口部の防水装置の屋内側かつ上側から見た例示的な斜視図である。
【図９】図９は、第２実施形態の開口部の防水装置で用いられる引掛部の例示的な斜視図である。
【図１０】図１０は、第２実施形態の開口部の防水装置の紐状体の例示的な斜視図である。
【発明を実施するための形態】
【００１４】
以下、本発明の例示的な実施形態が開示される。以下に示される実施形態の構成、ならびに当該構成によってもたらされる作用および結果（効果）は、一例である。本発明は、以下の実施形態に開示される構成以外によっても実現可能である。また、本発明によれば、構成によって得られる種々の効果（派生的な効果も含む）のうち少なくとも一つが得られうる。
【００１５】
また、以下に開示される実施形態および変形例には、同様の構成要素が含まれる。以下では、同様の構成要素には共通の符号が付与されるとともに、重複する説明が省略される。また、便宜上、開口部の開口方向の屋外側がＸ方向、Ｘ方向の視線での左側がＹ方向、および上方がＺ方向と、定義される。
【００１６】
＜第１実施形態＞
図１，２に示されるように、防水装置１Ａは、建物等の構造物の壁１０（側壁）に設けられた開口部１１に対応して、設けられる。開口部１１は、床面１２の上側に隣接し、側方（Ｘ方向）に向けて開口している。開口部１１は、上下方向に長い長方形状（四角形状）に形成される。開口部１１の縁は、床面１２と、左右両側で上下方向に延びる方立１３，１３（柱）と、上方で左右方向（側方）に延びる梁（図示されず）とによって構成される。方立１３は、角柱状に構成される。なお、開口部１１の屋内側には、開口部１１を開閉可能に覆う扉１５，１５が設けられている。扉１５は、スライドドア（所謂自動ドア）である。扉１５は、壁１０および床面１２に沿って、図１の左右方向（Ｙ方向およびその反対方向）に、開位置（図示されず）と閉位置（図１）との間で移動する。なお、屋外側および屋内側とは、説明上わかりやすくするための便宜上の表現であって、水が浸入する可能性がある場合の上流側および下流側を意味する。本発明は、例えば廊下等の通路のような家屋や部屋等の概念が必ずしも明確にならない場所に設置された扉に対しても適用できる。
【００１７】
防水装置１Ａは、遮水板２を有する。遮水板２は、長方形（四角形）の板状に構成される。遮水板２は、開口部１１の少なくとも下部を覆う。具体的に、遮水板２は、その厚さ方向が床面１２（Ｘ方向）と略平行な姿勢で、床面１２上に接して起立するとともに、方立１３に屋外側から接する。このように遮水板２が開口部１１の下部を覆った状態で、遮水板２の端部２ａ（下端部）と床面１２との間、および遮水板２の左右両側の端部２ｂ（側端部）と方立１３（の外面）との間がシールされることにより、開口部１１を介した屋内への雨水等の水の浸入が、抑制される。また、遮水板２は、ケース（例えば金属材料等）と、当該ケースの内部に収容された比較的軽量な材料（例えば発泡材料等）とを有し、全体として比較的軽量となるよう構成されている。遮水板２の全体の比重は、例えば、水の比重よりも小さく設定されうる。これにより、操作者は、遮水板２の運搬や、取り付け、取り外し等を、より容易に行える。なお、床面１２とは、説明上わかりやすくするための便宜上の表現であって、通常の床面のみならず、コンクリート面や地面等の開口部１１の下方に位置する面をも意味する。
【００１８】
図３に示されるように、端部２ａと床面１２との間、および端部２ｂと方立１３との間には、それぞれ、シール部材３が設けられている。シール部材３は、例えば、エラストマ等の弾性材料で構成される。シール部材３は、遮水板２と構造物（床面１２あるいは方立１３）との間に挟まれることで、弾性的に圧縮され、面圧を生じる。この面圧によって、水の浸入がより一層確実に抑制されうる。なお、本実施形態では、シール部材３は、遮水板２に設けられるが、シール部材３の少なくとも一部は、構造物側に設けられてもよい。また、水の浸入が抑制されるとは、水の浸入が阻止されたり防止されたりする意味をも含む。
【００１９】
図２，３に示されるように、防水装置１Ａは、紐状体４Ａを有する。紐状体４Ａの長手方向の一方側（一端側、上端側）は遮水板２に接続（固定）されるとともに、紐状体４Ａの長手方向の他方側（他端側、下端側）は方立１３に接続（固定）される。紐状体４Ａは、遮水板２が開口部１１を覆う位置（閉位置）から外れる（離脱する、移動する）のを抑制する。また、紐状体４Ａは、遮水板２を構造物（床面１２および方立１３）側に引っ張る。具体的には、図３に示されるように、紐状体４Ａの長手方向の一方側の端部４ａは、遮水板２の上側の端部２ｃ（上端部）に接続（固定）される。また、紐状体４Ａの長手方向の他方側の端部４ｂは、方立１３に設けられた引掛部１４Ａに支持される。そして、紐状体４Ａの端部４ａと端部４ｂとの間の中間位置４ｃは、遮水板２の端部２ｃの屋内側の角部２ｄに掛けられる。この中間位置４ｃは、端部４ｂ（引掛部１４Ａ）よりも上方に位置するとともに、屋外側に位置している。このような状態では、図３に示されるように、紐状体４Ａの中間位置４ｃから遮水板２に、紐状体４Ａの張力による力Ｆｔが作用する。この力Ｆｔにより、端部２ａを床面１２に押し付ける下方（Ｚ方向の逆方向）への力Ｆｐ１、および端部２ｂを方立１３に押し付ける屋内側（Ｘ方向の逆方向）への力Ｆｐ２が作用する。これにより、端部２ａと床面１２との間、および端部２ｂと方立１３との間の面圧が増大し、これらの位置でのシール性が向上する。紐状体４Ａの中間位置４ｃ（中間部）は、紐状体４Ａと遮水板２とが接続される第一の接続位置Ｐ１の一例である。また、紐状体４Ａの端部４ｂは、紐状体４Ａと方立１３とが接続される第二の接続位置Ｐ２の一例である。なお、本実施形態では、図２〜４では、Ｘ方向の視線で右側の構造のみが図示されているが、紐状体４Ａおよび当該紐状体４Ａに関わる引掛部１４Ａ等の構造は、Ｘ方向の視線で左右両側に設けられており、左右で鏡像関係にある。なお、面圧の増大によって高まったシール部材３と床面１２との摩擦力により、遮水板２の端部２ａの開口部１１から離れる方向（Ｘ方向）への移動が抑制される。
【００２０】
図２，４に示されるように、紐状体４Ａは、ストラップとして構成されている。また、紐状体４Ａには、バックル５Ａが設けられている。バックル５Ａは、紐状体４Ａの二つの部分（第一部分４１および第二部分４２）を着脱可能に接続している。図４の例では、バックル５Ａは、紐状体４Ａの第一部分４１には固定され、紐状体４Ａの第二部分４２には着脱可能に取り付けられている。バックル５Ａが第二部分４２から取り外されることにより、紐状体４Ａを第一部分４１と第二部分４２とに分離できる。すなわち、バックル５Ａは、紐状体４Ａの複数の部分を着脱可能に連結する連結機構の一例である。また、このバックル５Ａでは、操作者が第二部分４２の端部４２ａをバックル５Ａの中心から離れる側（図４の右側）に引っ張ることにより、紐状体４Ａの張力が高められる。すなわち、バックル５Ａは、紐状体４Ａの張力を調節する調節機構の一例でもある。なお、紐状体４Ａの第一部分４１の端部４ａは、遮水板２に設けられた金具２ｅ（固定部、連結部）に固定されている。また、バックル５Ａは、紐状体４Ａの第一部分４１に固定されているが、着脱可能に取り付けられてもよい。
【００２１】
図２に示されるように、紐状体４Ａの第二部分４２の端部４ｂには、フック４ｅが設けられ、このフック４ｅが、方立１３から突出した引掛部１４Ａに引っ掛けられている。フック４ｅは、引掛部とも称されうる。
【００２２】
また、引掛部１４Ａは、端部１４ｂ（先端部）と、軸部１４ｃと、を有する。端部１４ｂは、軸部１４ｃよりも太くあるいは張り出して構成されている。よって、本実施形態によれば、例えば、紐状体４Ａが引掛部１４Ａに沿って移動したり、紐状体４Ａのフック４ｅが引掛部１４Ａから抜けたりするのが、抑制される。なお、引掛部１４Ａに替えて、方立１３に設けられた穴（開口部、図示されず）の縁を引掛部として用いてもよい。これにより、開口部１１の縁部側の引掛部を、より簡素な構成として得ることができる。この場合、方立１３の穴は、防水装置１Ａの非使用時にはキャップで塞いでおき、意匠性の変更を最小限にすることができる。
【００２３】
このように、本実施形態では、例えば、遮水板２が床面１２と接して開口部１１の少なくとも下部を屋外側から覆う状態で、紐状体４Ａが、方立１３（開口部１１の縁部）と遮水板２とに張力が生じる状態で接続される。よって、例えば、紐状体４Ａによって遮水板２が屋外側から開口部１１を覆う状態に取り付けられる。よって、例えば、防水装置１Ａの開口部１１への取り付けおよび取り外しがより容易に行われる。また、本実施形態によれば、遮水板２を開口部１１に取り付けるためのレール等の専用部品が不要となる。よって、例えば、製造コストを低減できるとともに、専用部品を設けたことによって美観が損なわれるのを抑制できる。また、例えば、紐状体４Ａの張力により遮水板２を床面１２側または方立１３側に押し付けてシール部材３を弾性変形させ、遮水板２と床面１２との間、または遮水板２と方立１３との間のシール性を向上できる。また、例えば、遮水板２が比較的軽量である場合（例えば、遮水板２の全体の比重が水の比重より小さい場合等）に、紐状体４Ａの張力がシール性の向上に資する場合がある。
【００２４】
また、本実施形態では、例えば、紐状体４Ａと遮水板２との第一の接続位置Ｐ１が、紐状体４Ａと方立１３との第二の接続位置Ｐ２よりも上側に位置される。よって、例えば、紐状体４Ａから遮水板２に作用する下方への力によって、遮水板２を床面１２に押し付けることができる。よって、例えば、遮水板２と床面１２との間のシール性を向上できる。また、例えば、シール部材３と床面１２との間の摩擦力が増大しうる。
【００２５】
また、本実施形態では、例えば、紐状体４Ａと遮水板２との第一の接続位置Ｐ１が、紐状体４Ａと方立１３との第二の接続位置Ｐ２よりも屋外側に位置される。よって、例えば、紐状体４Ａから遮水板２に作用する屋内側への力によって、遮水板２を方立１３（開口部１１の縁部）に押し付けることができる。よって、例えば、遮水板２と方立１３との間のシール性を向上できる。
【００２６】
また、本実施形態では、例えば、紐状体４Ａの張力を調節するバックル５Ａ（調節機構）が設けられる。よって、例えば、紐状体４Ａから遮水板２に作用する力の大きさを調節できる。
【００２７】
また、本実施形態では、例えば、紐状体４Ａの第一部分４１と第二部分４２（複数の部分）を着脱可能に連結するバックル５Ａ（連結機構）が設けられる。よって、例えば、遮水板２を、開口部１１を屋外側から覆う位置により容易に取り付けたり、遮水板２を、開口部１１を屋外側から覆う位置からより容易に取り外したりすることができる。
【００２８】
また、本実施形態では、例えば、引掛部１４Ａおよび紐状体４Ａは、開口部１１の左右両側のそれぞれに設けられる。よって、例えば、紐状体４Ａをより短く構成できる。
【００２９】
＜第１実施形態の第１変形例＞
図５に示される第１実施形態の第１変形例では、方立１３には、凹部１３ａ（収容部、収納部、開口部）が設けられ、引掛部１４Ａ１は、凹部１３ａに出入可能に設けられている。すなわち、引掛部１４Ａ１は、凹部１３ａ内に収容された収容位置（非使用位置、収納位置、図示されず）と、凹部１３ａ外に出た露出位置（使用位置、図５）との間で移動可能に構成されている。よって、本変形例によれば、例えば、防水装置１Ａの非使用時に引掛部１４Ａ１が通行の妨げになるのが、抑制されうる。なお、引掛部１４Ａ１は、突出部や、接続部等とも称されうる。
【００３０】
また、引掛部１４Ａ１は、方立１３に、回転中心Ａｘ１回りに回転可能（移動可能）に支持されている。そして、非使用時の引掛部１４Ａ１の重心が回転中心Ａｘ１よりも下方に位置されるとともに、非使用時の引掛部１４Ａ１の重心が使用時の引掛部１４Ａ１の重心よりも低い位置に設定され、引掛部１４Ａ１に紐状体４Ａからの引っ張り力が作用しない状態では、引掛部１４Ａ１が、その自重によって収容位置に移動（回転）するよう構成されている。よって、操作者は、引掛部１４Ａ１から紐状体４Ａの環状部４ｄ（引掛部）を取り外すだけで、引掛部１４Ａ１は自動的に収容位置に移動する。よって、本変形例によれば、例えば、操作者が遮水板２を取り外す際の手間が軽減されうる。一方、遮水板２を取り付ける際には、操作者が凹部１３ａ内から引掛部１４Ａ１を引き出し、引掛部１４Ａ１に紐状体４Ａ（の環状部４ｄ）を引っ掛ける。バックル５Ａの調節によって紐状体４Ａから力を受けた引掛部１４Ａ１は、使用位置に移動する。使用位置では、方立１３の一部が引掛部１４Ａ１に接触して、引掛部１４Ａ１を支持する。本変形例では、図５に示されるように、凹部１３ａの上面１３ｂが、使用位置にある引掛部１４Ａ１の基部１４ａの上面１４ｄと接触して、引掛部１４Ａ１を支える。よって、本変形例によれば、例えば、操作者が遮水板２を取り付ける際の手間が軽減されうる。なお、引掛部１４Ａ１が使用位置から非使用位置に向かう力を与える部材（例えば、コイルスプリング等の弾性部材）が設けられてもよいし、何らかのロック機構が解除された場合に引掛部１４Ａ１が非使用位置から使用位置に向かう力を与える部材が設けられてもよい。
【００３１】
また、引掛部１４Ａ１は、基部１４ａ（基端部）と、端部１４ｂ（先端部）と、軸部１４ｃ（中間部）と、を有する。基部１４ａおよび端部１４ｂは、軸部１４ｃよりも太くあるいは張り出して構成されている。また、基部１４ａと端部１４ｂとの間の間隔、すなわち軸部１４ｃの長さは、紐状体４Ａの幅と同じか当該幅よりもやや長く設定されている。よって、本変形例によれば、例えば、紐状体４Ａが引掛部１４Ａ１に沿って移動したり、紐状体４Ａの環状部４ｄが引掛部１４Ａ１から抜けたりするのが、抑制される。
【００３２】
＜第１実施形態の第２変形例＞
図６，７に示される第１実施形態の第２変形例では、紐状体４Ａには、上記第１実施形態のバックル５Ａとは異なるバックル５Ｂが設けられている。バックル５Ｂは、着脱部５ａと、ホルダ５ｂと、を有する。着脱部５ａは、弾性変形可能な（移動可能なあるいは復帰可能な）可動部５ｃを有する。操作者は、この例では、着脱部５ａをホルダ５ｂに近づけることにより、着脱部５ａをホルダ５ｂに装着することができる。また、操作者は、二つの可動部５ｃを互いに近づける方向（図６，７の上下方向）に動かしながら、着脱部５ａをホルダ５ｂから引き抜くことができる。操作者が力を緩めると、可動部５ｃは初期位置に戻る。この変形例によれば、例えば、遮水板２の開口部１１への取り付けおよび取り外しがより容易に行われる。バックル５Ｂは、連結機構の一例である。
【００３３】
＜第２実施形態＞
図８〜１０に示される本実施形態の防水装置１Ｃでは、一つの紐状体４Ｃが、遮水板２と左右両側の方立１３とに接続されている。紐状体４Ｃは、上記実施形態や変形例と同様に、遮水板２が開口部１１を覆う位置（閉位置）から外れる（離脱する、移動する）のを抑制する。また、紐状体４Ｃは、左右両側で、遮水板２を構造物（床面１２および方立１３）側に引っ張る。なお、図８，９では、Ｘ方向の視線で右側の構造のみが図示されているが、紐状体４Ｃおよび当該紐状体４Ｃに関わる引掛部１４Ｃ等の構造は、Ｘ方向の視線で左右両側に設けられており、左右で鏡像関係にある。
【００３４】
図１０に示されるように、紐状体４Ｃの長手方向の両側の端部４ｂには、それぞれ、フック４ｅ（引掛部）が設けられている。また、紐状体４Ｃの長手方向の中間部（中央部）には、上記第１実施形態のバックル５Ａおよび第１変形例のバックル５Ｂとは異なるバックル５Ｃが設けられている。バックル５Ｃは、紐状体４Ｃの第一部分４１と第二部分４２とを着脱可能に連結する。すなわち、バックル５Ｃは、連結機構の一例である。また、バックル５Ｃは、基部５ｄと、ハンドル５ｅ（可動部、操作部）と、巻取機構５ｆと、を有している。ハンドル５ｅは、基部５ｄに、回転中心Ａｘ２回りに往復動可能（往復回転可能）に設けられ、巻取機構５ｆは、ハンドル５ｅの往復動によって第二部分４２を巻き取るよう構成されている。巻取機構５ｆは、一方向のみに回転するラチェット機構を有している。よって、操作者が、ハンドル５ｅを動かすことにより、第二部分４２が巻取機構５ｆに巻き取られ、これにより、紐状体４Ｃの長さを変更する（短くする）ことができる。また、紐状体４Ｃの長さの変更により、紐状体４Ｃの張力を調節することができる。よって、バックル５Ｃは、調節機構の一例でもある。このバックル５Ｃは、ラチェットバックルとも称されうる。
【００３５】
図８に示されるように、遮水板２の上側の端部２ｃ（上端部）の、左右両側の端部２ｂの近傍には、リング１６（引掛部）が取り付けられている。リング１６には、紐状体４Ｃおよびフック４ｅが通りうる大きさの開口が設けられている。操作者は、遮水板２が開口部１１の少なくとも下部を略覆った状態で、リング１６に、左右方向の中央側からフック４ｅおよび紐状体４Ｃの端部４ｂを通し、フック４ｅを、方立１３に設けられた引掛部１４Ｃに引っ掛ける。図９に示されるように、引掛部１４Ｃは、方立１３に設けられた凹部１３ａに対応して当該凹部１３ａ内に設けられ、Ｘ方向に略沿って延びた棒状体に構成されている。このような構成によっても、紐状体４Ｃの端部４ｂと端部４ｂとの間の左右両側の中間位置４ｃが、図８に示されるように、遮水板２の端部２ｃの屋内側の角部２ｄに掛けられる。また、中間位置４ｃ（第一の接続位置Ｐ１）が、端部２ｂ（第二の接続位置Ｐ２）よりも上方に位置するとともに、屋外側に位置している。よって、本実施形態によっても、上記第１実施形態と同様の効果が得られる。また、本実施形態では、一つの紐状体４Ｃが、遮水板２と開口部１１の左右両側の方立１３（縁部）とに接続される。よって、例えば、紐状体４Ｃの数を減らせる。また、調節機構としてのバックル５Ｃの調節によって、開口部１１の左右両側で、紐状体４Ｃの張力ひいては紐状体４Ｃから遮水板２に作用する力の大きさを調節できる。
【００３６】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形状、大きさ、長さ、幅、厚さ、高さ、数、配置、位置、材質等）は、適宜に変更して実施することができる。また、複数の実施形態間で、構成を部分的に入れ替えて実施することができる。
【００３７】
例えば、紐状体は、ベルトや、バンド、ワイヤ、ケーブル、ロープ、コード等であってもよい。また、調節機構または連結機構は、アジャスタや、フランスカン、カムバックル、可動部付きバックル、ターンバックル、美錠、ストッパ、ロック機構、面ファスナ等であってもよいし、調節機構と連結機構とが別個に構成されてもよい。また、紐状体を遮水板や開口部の縁部に接続あるいは固定する構成も、上記実施形態や変形例には限定されない。また、紐状体は三つ以上の部分に分離可能に構成されてもよい。また、開口部の縁部には、紐状体を、引っ掛ける以外の方式（形態）で接続することが可能であるし、開口部の縁部（方立等）の形状や、開口部の縁部への紐状体の接続位置等も、上記実施形態や変形例には限定されない。
【符号の説明】
【００３８】
１Ａ，１Ｃ…防水装置、２…遮水板、３…シール部材、４Ａ，４Ｃ…紐状体、４１…第一部分（部分）、４２…第二部分（部分）、５Ａ，５Ｂ，５Ｃ…バックル（調節機構、連結機構）、１１…開口部、１２…床面（構造物）、１３…方立（構造物、開口部の縁部）、Ｐ１…第一の接続位置、Ｐ２…第二の接続位置。
【図１】
2016056529.tif 000003
【図２】
2016056529.tif 000004
【図３】
2016056529.tif 000005
【図４】
2016056529.tif 000006
【図５】
2016056529.tif 000007
【図６】
2016056529.tif 000008
【図７】
2016056529.tif 000009
【図８】
2016056529.tif 000010
【図９】
2016056529.tif 000011
【図１０】
2016056529.tif 000012